(57)【要約】【課題】把持力を与えるための金属製のバネが不要であり、また従来の金属製バネを使った小さなプラスチック製の接ぎ木ピンチの薄肉のヒンジ部のように割れやすいことがなく、台木や穂木の茎の径の大小にも１つで対応でき、さらに接ぎ木の接合部の目視による確認が容易な接ぎ木用把持具を提供する。【解決手段】互いに茎保持部６の空間を隔てて配置され、非使用状態では先端の空間が開いている１対の挟持部１，２と、１対の挟持部１，２の基端部側にそれぞれ連設されたつまみ部４，５と、１対の把持部１，２の基端部同士を連結するＵ字形の連結部３とを有し、１対の挟持部１，２の対向する内面に、複数の突条１ａ，２ａが突設されており、全体が一体の軟質プラスチック製、特に透明な結晶性樹脂製である接ぎ木用把持具。【選択図】  図１
2012249542.tif 000002
【特許請求の範囲】
【請求項１】
互いに茎保持部の空間を隔てて配置され、非使用状態では先端の空間が開いている１対の挟持部と、前記１対の挟持部の基端部側にそれぞれ連設されたつまみ部と、前記１対の把持部の基端部同士を連結するＵ字形の連結部とを有し、前記１対の挟持部の対向する内面に、複数の突条が突設されており、全体が一体の軟質プラスチック製である接ぎ木用把持具。
【請求項２】
前記茎保持部における前記連結部側の空間が先端部側の空間よりも広く、先端部側の空間が次第に狭くなっている請求項１記載の接ぎ木用把持具。
【請求項３】
前記複数の突条の、隣接する突条間の間隔が、把持する穂木の茎の径と同程度である請求項１または２に記載の接ぎ木用把持具。
【請求項４】
軟質プラスチックが、透明で結晶性樹脂である請求項１から３のいずれかの項に記載の接ぎ木用把持具。
【発明の詳細な説明】
【技術分野】
【０００１】
本発明は、接ぎ木用把持具、特にキュウリ、スイカ、メロン等のウリ科の果菜の接ぎ木をする際に、台木と穂木との接ぎ部分を保持する接ぎ木用把持具に関する。
【背景技術】
【０００２】
旧来より、栽培する果菜類の栽培施設の固定化による土壌伝染性病害や一部の虫害を避けたり、連作を可能にしたりするため、あるいは周年生産のために異常気象時に栽培を余儀なくされた場合の強健性、また台木の選択、例えばキュウリのブルームレス台木やカボチャを台木として用いることによって、果実の形質を変え高品質な果菜を生産するために接ぎ木という技術が用いられている。
【０００３】
例えば、スイカはカンピョウを台木としてスイカの穂木を接ぎ木する。キュウリは台木として主にカボチャを用いている。メロンやナス、トマトでは、品質の異なる共台が用いられている。
【０００４】
本出願人は先に、特許文献１において、接ぎ木後、苗が充分に成長するまで、支柱による支えを行うことができ、幼苗挿入ガイド口の確認が容易にでき、台木と穂木の切断面を確実に合わせることのできる構造のナス科（トマト、ナス、ピーマン）用の接ぎ木保持具を開示した。この接ぎ木保持具は、一側部に上端部から下端部までスリットを備えたプラスチックの筒状体と、スリットの上端部近傍にスリットの前方を塞ぐ状態に湾曲した腕を持つ支柱取付部材を備えた接ぎ木保持具であり、筒状体には指でつまむことができるつまみ部を一体的に形成し、筒状体の上端部に、内面が傾斜した半円状の穂木挿入ガイドを突出し、筒状体の下端部に、内面が傾斜した半円状の台木挿入ガイドを突出して設けたものである。これにより、台木の切断面と穂木の切断面を容易に合わせることができるようになり、活着率が向上した。
【０００５】
さらに、接ぎ木活着後、苗が生長して筒状体が保持できる径よりも太くなったときでも、支柱取付部材の腕の内側で苗木が引き続き保持されるため、苗木が充分生長するまで、支柱による支持ができ、ナス科の接ぎ木の分野で、接ぎ木作業の省力化や高品質な接ぎ木苗の生産に一定の効果が見られた。
【０００６】
果菜類の接ぎ木苗には、ナス科（ナス、ピーマン、トマト等）とウリ科（キュウリ、スイカ、メロン、ゴーヤ等）がある。ウリ科のキュウリ接ぎ木苗を作る場合、図８に示すように、断根されたカボチャ（断根部１０３）を台木１００に使う。２枚の子葉１０１，１０２の内、図９に示すように１枚の子葉１０１を残し、他方の子葉１０２をカッターＣ等で斜め上方向に切断し、図１０に示す切断面１０４付きの片葉の台木１００とする。１枚の片葉１０１を残さないと、接ぎ木後の穂木の成長が悪く活着率が低下する。
【０００７】
上述の特許文献１において開示された接ぎ木保持具はナス科に適した接ぎ木保持具であり、トマト、ナス、ピーマン等は、図１１に示すように台木となる苗に子葉を残さずに斜め上方向に切断した台木１１０に、図１２に示す接ぎ木保持具２０を上から下方向へ挿入する。その後、図１３に示すように接ぎ木保持具２０が挿入された台木１１０に、切断された穂木１２０を挿し込むことで、接ぎ木作業を行うことができる。しかし、ウリ科の接ぎ木苗を生産する場合は、図８に示すように台木１００となる苗の２枚の子葉１０１，１０２のうち図１０に示すように１枚を残して接ぎ木保持具２０を装着しなければならない。
【０００８】
このように、ウリ科の接ぎ木作業の場合、台木１００に１枚の子葉１０１を残しているので、図１４に示すように、子葉１０１が邪魔をして接ぎ木保持具２０を上から下方向へ挿し込むことができない。そこで、図１０に示すウリ科接ぎ木用の台木１００の切断面１０４と図１５，図１６に示す穂木１３０の茎１３３の切断面１３４を合わせて保持するものとして、図１７、図１８に示す、金属製バネを使った小さなプラスチック製のピンチ３０等が多く接ぎ木生産業者間で使用されている。このピンチ３０は、Ｃ字状の金属製バネ３１と、一対の挟持部３２とつまみ部３３が薄肉のヒンジ部３４で結合され、挟持部３２の内面には円錐形の先が尖った突起３５が形成されている。なお、穂木１３０には子葉１３１，１３２が付いており、茎１３３の下端が斜めに切断された切断面１３４となっている。
【０００９】
また、鉄やステンレスバネを使わず、軟質プラスチックの弾性を利用した筒状の接ぎ木用クリップが特許文献３に示されている。この接ぎ木用クリップの基本構成は、図２１に示すように、台木用苗の台部及び穂木用苗の穂部を内包し得る所定長さの円筒状からなる保持部４１と、保持部４１の長さ方向に亘るスリット４２と、保持部４１の背面に設けたスリット開閉用の把持部４３，４４とを有するものである。図２２に示すように、接ぎ木用クリップ４０に設けられたスリット４２の反対側に設けられた把持部４３，４４を摘んでスリット４２を開き、図２３に示すように１枚の子葉１０１を残している台木１００に横方向から挟み込む。さらに、図２４に示すように、穂木１３０を保持穴４５（図２１参照）に挿し込んで、穂木１３０の切断面１３４（図１５参照）が台木１００の片方の葉の切断面１０４にくっつくようにする。
【００１０】
筒状のつまみ付き保持具の中では特許文献２に記載されたものが商品化され、ウリ科接ぎ木保持具として使用されている。
【００１１】
また、特許文献３には、図２５に示すように、把持部５１と開閉部５２とを備える回動部を左右一対備え、把持部５１と開閉部５２との間に設けた第一接続部５３と開閉部５２の端部に設けた第二接続部５４とにより左右一対の回動部を接続している接ぎ木クリップ５０が開示されている。そして、把持部５１の内周には凸条５５が形成されている。
【先行技術文献】
【特許文献】
【００１２】
【特許文献１】特許第３８０１５７８号公報
【特許文献２】実開平６−９４３４号公報
【特許文献３】特開２００３−３８０３０号公報
【発明の概要】
【発明が解決しようとする課題】
【００１３】
上述した、図１７，図１８に示した金属製バネ３１を使った小さなプラスチック製の接ぎ木ピンチ３０は、プラスチックの挟持片３２と金属のバネ３１を使っているので組立が必要となり、コストが高く重量も重くなるので幼苗の接ぎ木苗には負担がかかる。
【００１４】
また、接ぎ木ピンチ３０では、薄肉のヒンジ部３４が１回の接ぎ木苗の生産作業によって割れてしまい、再使用できないものが多く出る。
【００１５】
クリップを再使用して接ぎ木を行う場合は、洗浄し消毒して使うが、金属製バネ３１を使っている接ぎ木ピンチ３０は、図１８に示すように、何も挟んでいない時でもバネの閉まる力によって先端３６が押さえられ接着しているので、１つ１つつまみ部３３を摘み、挟持部３２の先端３６を開いて洗浄、消毒をする必要があり手間が掛かる。
【００１６】
繁忙時にウリ科（キュウリ等）の接ぎ木苗を生産する場合、一時期に需要が集中するのでアルバイト等を雇用し、接ぎ木苗を生産する育苗業者も多い。
【００１７】
上述した、図１７に示した金属製バネ３１を使った接ぎ木用ピンチ３０は、切断された台木１００の切断面１０４（図１０参照）と穂木１３０の切断面１３４（図１５、図１６参照）を片手の指先で向かい合わせ、ずれないようにしたまま、もう一方の手で接ぎ木用ピンチ３０のつまみ部３３を摘み拡げて挟むために（図１９参照）、熟練した作業者でなければ台木１００と穂木１３０の切断面１０４，１３４をずれないように合わせて摘み、接ぎ木をするのが難しい。
【００１８】
図２１に示した接ぎ木用クリップ４０では、台木や穂木の茎の太さにバラツキがあるので、苗の太さに合わせた保持穴４５のサイズが必要であり、直径が２ミリ前後、３ミリ前後、４ミリ前後と３種類ほどあり、使い分けしなければならない。
【００１９】
図２５に示した接ぎ木用ピンチ５０では、作業者が手で接ぎ木をする時は図１９に示した従来と同じように、台木１００と穂木１３０の切断面１０４，１３４を片手で合わせて摘んでおき、もう一方の手で接ぎ木用ピンチ５０を茎に止めなければならない。また、ポリエチレン素材であるため、半透明しか作れないので、接合部のズレ等を確認することが難しい。
【００２０】
そこで本発明は、把持力を与えるための金属製のバネが不要であり、また従来の金属製バネを使った小さなプラスチック製の接ぎ木ピンチの薄肉のヒンジ部のように割れやすいことがなく、台木や穂木の茎の径の大小にも１つで対応でき、さらに接ぎ木の接合部の目視による確認が容易な接ぎ木用把持具を提供することを目的とする。
【課題を解決するための手段】
【００２１】
前記課題を解決するため、本発明の接ぎ木把持具は、互いに茎保持部の空間を隔てて配置され、非使用状態では先端の空間が開いている１対の挟持部と、前記１対の挟持部の基端部側にそれぞれ連設されたつまみ部と、前記１対の把持部の基端部同士を連結するＵ字形の連結部とを有し、前記１対の挟持部の対向する内面に、複数の突条が突設されており、全体が一体の軟質プラスチック製である。
【００２２】
本発明では、金属製バネを使わず弾性力を利用した一体成形の接ぎ木用把持具であるために、重量も軽く生産コストも安いので育苗業者にも安価に提供できる。また、１対の挟持部を連結するヒンジ部を薄肉としていないので、接ぎ木使用時に割れることがない。
【００２３】
本発明の接ぎ木把持具は、前記茎保持部における前記連結部側の空間が先端部側の空間よりも広く、先端部側の空間が次第に狭くなっており、茎保持部が広がるので、小さめの茎は茎保持部奥で挟み、太めの茎は先端に近い部分で保持することができるので、ウリ科の接ぎ木作業は一種類の接ぎ木把持具でできる。
【００２４】
本発明の接ぎ木把持具は、前記複数の突条の、隣接する突条間の間隔が、把持する穂木の茎の径と同程度である。キュウリ穂木の茎は、たとえば１．５ｍｍ程度であるが、突条の間隔をその程度とすることにより、熟練した作業者でなくても台木を挟んだ後、穂木を上部から突条の間の隙間に沿って挿入することができ、台木と穂木の切断面を、ずれずに合わせ、接ぎ木作業ができるため、初心者でも失敗のない接ぎ木作業ができる。
【００２５】
本発明の接ぎ木把持具の材質である軟質プラスチックが、透明で結晶性樹脂である。結晶性樹脂は、製品として使用後、変形癖がついても温めると元の形状に戻ろうとする特性がある樹脂である。一度接ぎ木に使用された接ぎ木用把持具は、生長する茎を長時間挟んでおり、その間に次第に開いていく。そうすると、弾性力による挟み癖が付き、回収してそのまま再使用には適さない。そこで、回収した接ぎ木用把持具を多数、まとめてざる等に入れて洗浄、消毒した後、湯に浸けることで挟み癖が取れて元の把持部先端が狭くなった状態に戻るので、再使用も容易になる。
【００２６】
また透明な軟質プラスチック製であるので台木と穂木の切断面の接合部の状態を容易に確認できる。
【発明の効果】
【００２７】
本発明によれば、互いに茎保持部の空間を隔てて配置され、非使用状態では先端の空間が開いている１対の挟持部と、１対の挟持部の基端部側にそれぞれ連設されたつまみ部と、１対の把持部の基端部同士を連結するＵ字形の連結部とを有し、１対の挟持部の対向する内面に、複数の突条が突設されており、全体が一体の軟質プラスチック製である接ぎ木用把持具であること、茎保持部における連結部側の空間が先端部側の空間よりも広く、先端部側の空間が次第に狭くなっていること、複数の突条の、隣接する突条間の間隔が、把持する穂木の茎の径と同程度であること、材料が透明で結晶性樹脂であることにより、把持力を与えるための金属製のバネが不要であり、また従来の金属製バネを使った小さなプラスチック製の接ぎ木ピンチの薄肉のヒンジ部のように割れやすいことがなく、台木や穂木の茎の径の大小にも１つで対応でき、さらに接ぎ木の接合部の目視による確認が容易であるという効果を奏する。
【図面の簡単な説明】
【００２８】
【図１】本発明の実施の形態に係る接ぎ木用把持具の斜視図である。
【図２】本発明の実施の形態に係る接ぎ木用把持具の平面図である。
【図３】接ぎ木苗に使用した後の挟み癖の付いた接ぎ木用把持具の斜視図である。
【図４】カボチャ台木とキュウリ穂木の切断面を片手で合わせもう一方の手で接ぎ木用把持具により保持する状態を示す説明図である。
【図５】カボチャ台木に接ぎ木用把持具をセットしている説明図である。
【図６】接ぎ木把持具をセットされたカボチャ台木にキュウリ穂木を押し込む状態の作業図である。
【図７】接ぎ木用把持具で接ぎ木作業を終えた状態の接ぎ木苗の斜視図である。
【図８】断根された子葉が２葉付いている台木（カボチャ台木）の斜視図である。
【図９】断根されたカボチャ台木の子葉を１枚切断する様子を示す斜視図である。
【図１０】子葉が１枚斜めに切断された台木の斜視図である。
【図１１】ナス科（トマト）の台木を示す斜視図である。
【図１２】ナス科（トマト）の台木に従来例の接ぎ木用保持具を挿入する状態を示す説明図である。
【図１３】ナス科（トマト）の台木が挿入された接ぎ木用保持具にナス科（トマト）の穂木を挿入しようとする説明図である。
【図１４】カボチャ台木にナス科用接ぎ木用保持具を挿入しようとする説明図である。
【図１５】茎を切断されたキュウリ穂木の切断面の正面図である。
【図１６】茎を切断されたキュウリ穂木の切断面の側面図である。
【図１７】金属製バネを使ったプラスチック製の接ぎ木用ピンチの斜視図である。
【図１８】金属製バネを使ったプラスチック製のピンチの平面図である。
【図１９】カボチャ台木とキュウリ穂木の切断面を合わせて図１７の接ぎ木用ピンチで保持する状態を示す説明図である。
【図２０】図１７の接ぎ木用ピンチをカボチャ台木とキュウリ穂木にセットした状態の説明図である。
【図２１】従来のウリ科用接ぎ木用クリップを示すもので、（ａ）は斜視図、（ｂ）は平面図である。
【図２２】図２１の接ぎ木用クリップをカボチャ台木に取り付ける作業の説明図である。
【図２３】図２１の接ぎ木用クリップをカボチャ台木にセットした状態の説明図である。
【図２４】図２１の保持具をセットされたカボチャ台木にキュウリの穂木を挿し込む作業の説明図である。
【図２５】特許文献３に記載された接ぎ木クリップの平面図である。
【発明を実施するための形態】
【００２９】
図１は本発明の実施の形態に係る接ぎ木用把持具１０の構成を示す斜視図である。
この接ぎ木用把持具１０は、一対の挟持部１，２と、両挟持部１，２の基部を連結する連結部３と、両挟持部１，２を連結部３をヒンジ部として開閉するつまみ部４，５とを有し、両挟持部１，２の間の茎保持部６の奥部６ａよりも先端部６ｂが狭くなっているが、先端部６ｂがくっつかない状態となっている。両挟持部１，２の内側には突条１ａ，２ａがそれぞれ３条、設けられている。つまみ部４，５の外側には、つまみ部４，５を押さえる時の、指のすべり止め部４ａ，５ａが設けられている。接ぎ木用把持具１０は結晶性樹脂で透明な軟質プラスチック製で一体成形されており、軟質プラスチック自体の弾性力で把持力を持たせている。茎保持部６の内側の突条１ａ，２ａは、キュウリ穂木の茎の直径とほぼ同じ１．５ｍｍ間隔で設けられており、キュウリ穂木挿入時、台木を挟んだ後、台木の子葉の切断面に穂木の切断面をずれずに合わせて挿入できる。
【００３０】
本実施の形態の接ぎ木把持具１０を用いた接ぎ木作業は、熟練者は従来どおりの手慣れた方法により、断根された図１０に示すカボチャ台木１００の子葉１０２の切断面１０４と、図１５に示した穂木１３０の茎切断面１３４を片手の指先で合わせ、切断面１０４，１３４がずれないようにしながらもう一方の手で接ぎ木把持具１０のつまみ部４，５を摘み拡げて挟む接ぎ木方法を用いる（図４参照）。
【００３１】
接ぎ木作業に不慣れなアルバイト等では、接ぎ木作業が容易になるように、図５に示すように片葉切断された断根カボチャ台木１００に接ぎ木把持具１０の茎保持部６の側面に片葉の切断面１０４を向けて挟む。台木１００を挟んだ後、図６に示すように穂木１３０を上から下方向へ挿し込む。穂木１３０を挿し込む時、突条１ａ，２ａがあるので、穂木１３０は横ずれせずに下方向へ入るので接ぎ木把持具１０の挟持部１，２に挟まれている台木１００の子葉の切断面１０４と穂木１３０の切断面１３４をずれずに合わせることができるので、活着率の高い接ぎ木作業がアルバイトでもできる。
【００３２】
図７に示すように、台木１００の子葉切断面１０４と、穂木１３０の茎の切断面１３４をずれないように接ぎ木把持具１０で挟んだものを、台木１００の茎の断根部１０３を培地に挿し込むことで、断根部１０３に新しい根が発根し接ぎ木苗が出来る。
【００３３】
一度接ぎ木に使用された接ぎ木把持具１０は接ぎ木苗の接合部を１２日間ほど挟み、茎も育ち太くなり、弾性力を利用して挟んでいるので挟み癖が付く。そうすると、接ぎ木用把持具１０を再使用する場合、台木１００と穂木１３０の切断面１０４，１３４を合わせて挟む茎保持部６の先端が挟み癖のため開いているので、そのままでは把持力が弱い。そこで、接ぎ木把持具１０を多数、まとめてざる等に入れ洗浄し消毒する。
【００３４】
本物品は結晶性樹脂で一体成形されているので、洗浄、消毒後、６０℃前後の湯に２〜３分間浸けることにより、接ぎ木使用前のクリップの先端の隙間と同じ０．７ｍｍほどの状態に戻るので、再使用が容易になる。
【００３５】
また、本実施の形態の接ぎ木把持具１０は、挟持部の中心に図１７，図１８に示したような薄肉のヒンジ部３４を有していないので、接ぎ木使用時に割れることがない。
【００３６】
図２１に示した筒状体の接ぎ木クリップ４０では接ぎ木をする台木１００と穂木１３０の太さに応じた保持穴サイズが必要となるが、接ぎ木把持具１０は図２に示すように茎保持部６が奥と先端では間隔が異なるので、小さめの茎は茎保持部奥６ａで挟み、太めの茎は先端６ｂで保持することができるので、ウリ科の接ぎ木作業は一種類の本接ぎ木把持具１０でできる。また透明な軟質プラスチック製であるので台木１００と穂木１３０の切断面１０４，１３４の接合部の状態を容易に確認できる。
【００３７】
なお、従来の接ぎ木用ピンチや図２５の接ぎ木用ピンチ５０の把持面には幅０．５ｍｍ以下の突条５５を設けているが、キュウリ苗の茎の太さの間隔で隙間を取っておらず、単に接ぎ木苗を把持して台木と穂木苗をずれ難くするものであり、キュウリ穂木を接ぎ木把持具に挿入する際のずれ防止ガイドとしての役目、効果はない。
【００３８】
図１７の接ぎ木ピンチ３０は、苗の把持部には台木と穂木の接合部を浅く突き刺し、くわえ、ずれないように円錐形に尖った突起３５が設けられているが、接ぎ木ピンチ３０に台木を取り付けた後、穂木を上部から下方向へ挿し込むことはできない。
【産業上の利用可能性】
【００３９】
把持力を与えるための金属製のバネが不要であり、また従来の金属製バネを使った小さなプラスチック製の接ぎ木ピンチの薄肉のヒンジ部のように割れやすいことがなく、台木や穂木の茎の径の大小にも１つで対応でき、さらに接ぎ木の接合部の目視による確認が容易な接ぎ木用把持具として、特にウリ科の接ぎ木に好適に利用することができる。
【符号の説明】
【００４０】
１，２  挟持部
１ａ，２ａ  突条
３  連結部
４，５  つまみ部
４ａ，５ａ  すべり止め部
６  茎保持部
６ａ  奥部
６ｂ  先端部
１０  接ぎ木用把持具
１００  台木
１０１，１０２  子葉
１０３  断根部
１０４  切断面
１３０  穂木
１３１，１３２  子葉
１３３  茎
１３４  切断面
【図１】
2012249542.tif 000003
【図２】
2012249542.tif 000004
【図３】
2012249542.tif 000005
【図４】
2012249542.tif 000006
【図５】
2012249542.tif 000007
【図６】
2012249542.tif 000008
【図７】
2012249542.tif 000009
【図８】
2012249542.tif 000010
【図９】
2012249542.tif 000011
【図１０】
2012249542.tif 000012
【図１１】
2012249542.tif 000013
【図１２】
2012249542.tif 000014
【図１３】
2012249542.tif 000015
【図１４】
2012249542.tif 000016
【図１５】
2012249542.tif 000017
【図１６】
2012249542.tif 000018
【図１７】
2012249542.tif 000019
【図１８】
2012249542.tif 000020
【図１９】
2012249542.tif 000021
【図２０】
2012249542.tif 000022
【図２１】
2012249542.tif 000023
【図２２】
2012249542.tif 000024
【図２３】
2012249542.tif 000025
【図２４】
2012249542.tif 000026
【図２５】
2012249542.tif 000027
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
片葉切断された台木の切断面と、前記台木の切断部分の径よりも小径である穂木の茎の切断面との接合部を把持するウリ科果菜の接ぎ木用把持具であって、互いに茎保持部の空間を隔てて配置され、非使用状態では先端の空間が開いている、対向する内面がほぼ平面である１対の挟持部と、前記１対の挟持部の基端部側にそれぞれ連設されたつまみ部と、前記１対の把持部の基端部同士を連結するＵ字形の連結部とを有し、前記１対の挟持部の対向する内面に、複数の突条が突設されており、前記複数の突条の、隣接する突条間の間隔が、前記台木の径よりも狭く前記穂木の茎の径と同程度である、全体が一体の透明な軟質プラスチック製である接ぎ木用把持具。
【請求項２】
前記茎保持部における前記連結部側の空間が先端部側の空間よりも広く、先端部側の空間が次第に狭くなっている請求項１記載の接ぎ木用把持具。
【請求項３】
軟質プラスチックが、結晶性樹脂である請求項１または２に記載の接ぎ木用把持具。